(57)【要約】【課題】データ記録端末に挿入される情報記録媒体が正規な媒体であるか否かを簡単にチェックすることができるデータ記録プログラム、情報記録媒体、データ記録端末、データ記録システム、データ記録方法の提供。【解決手段】データの書き込みを禁止する書込禁止情報が記録された情報記録媒体９が陳列棚４に陳列され、レジ５には書込禁止情報による書き込み禁止が解除されたことを示す書込禁止解除情報を情報記録媒体９に記録する手段を備え、データ記録端末３には、書込禁止情報が記録された情報記録媒体９に対してはデータの書き込みを禁止し、更に書込禁止解除情報が記録された情報記録媒体９に対してはデータの書き込みを許可するデータ書き込み手段を少なくとも備えるものであり、情報記録媒体９がレジ５で正規に購入されたものか否かがチェックされるため、不正なデータの記録を防止することができる。【選択図】図４
2004220756.tif 000002
【特許請求の範囲】
【請求項１】
コンピュータを、
情報記録媒体から、データの書き込みが許可されたことを示す書込許可情報を抽出する手段、
前記書込許可情報が記録された前記情報記録媒体に対してデータの書き込みを許可するデータ書込手段、
として機能させることを特徴とするデータ記録プログラム。
【請求項２】
コンピュータを、
情報記録媒体から、データの書き込みが禁止されたことを示す書込禁止情報を抽出する手段、
前記情報記録媒体から、データの書き込み禁止が解除されたことを示す書込禁止解除情報を抽出する手段、
前記書き込み禁止情報が記録された前記情報記録媒体に対してデータの書き込みを禁止し、更に前記書込禁止解除情報が記録された前記情報記録媒体に対してデータの書き込みを許可するデータ書込手段、
として機能させることを特徴とするデータ記録プログラム。
【請求項３】
データの書き込みが禁止されたことを示す書込禁止情報、又は、データの書き込みが許可されたことを示す書込許可情報が記録されたことを特徴とする情報記録媒体。
【請求項４】
データの書き込みが禁止されたことを示す書込禁止情報、及び、データの書き込み禁止が解除されたことを示す書込禁止解除情報が記録されたことを特徴とする情報記録媒体。
【請求項５】
機器又は第１の情報記録媒体に記録されたデータを第２の情報記録媒体に記録するデータ記録端末において、
前記機器又は前記第１の情報記録媒体からデータを読み取る手段と、
前記第２の情報記録媒体からデータの書き込みが許可されたことを示す書込許可情報を抽出する手段と、
前記書込許可情報が記録された前記第２の情報記録媒体に対してデータの書き込みを許可するデータ書込手段と、を少なくとも有することを特徴とするデータ記録端末。
【請求項６】
機器又は第１の情報記録媒体に記録されたデータを第２の情報記録媒体に記録するデータ記録端末において、
前記機器又は前記第１の情報記録媒体からデータを読み取る手段と、
前記第２の情報記録媒体からデータの書き込みが禁止されたことを示す書込禁止情報を抽出する手段と、
前記第２の情報記録媒体からデータの書き込み禁止が解除されたことを示す書込禁止解除情報を抽出する手段と、
前記書き込み禁止情報が記録された前記第２の情報記録媒体に対してはデータの書き込みを禁止し、更に前記書込禁止解除情報が記録された前記第２の情報記録媒体に対してはデータの書き込みを許可するデータ書込手段と、を少なくとも有することを特徴とするデータ記録端末。
【請求項７】
前記機器は、デジタルカメラ又はカメラ付き携帯電話機であり、前記第１の情報記録媒体は、前記機器に着脱可能な情報記録媒体であり、前記データは前記機器により撮影された写真画像データであることを特徴とする請求項５又は６に記載のデータ記録端末。
【請求項８】
データの書き込みが許可されたことを示す書込許可情報を情報記録媒体に記録する書込許可情報記録手段と、
前記書込許可情報が記録された前記情報記録媒体に対してデータの書き込みを許可するデータ書込手段と、を少なくとも有することを特徴とするデータ記録システム。
【請求項９】
データの書き込みが禁止されたことを示す書込禁止情報が記録された情報記録媒体と、
前記書込禁止情報による書込禁止が解除されたことを示す書込禁止解除情報を前記情報記録媒体に記録する書込禁止解除情報記録手段と、
前記書込禁止情報が記録された前記情報記録媒体に対してはデータの書き込みを禁止し、更に前記書込禁止解除情報が記録された前記情報記録媒体に対してはデータの書き込みを許可するデータ書込手段と、を少なくとも有することを特徴とするデータ記録システム。
【請求項１０】
店舗内に、前記情報記録媒体を陳列する手段と、前記情報記録媒体に前記書込許可情報又は前記書込禁止解除情報を記録する端末と、前記データ書込手段を有するデータ記録端末とを備えることを特徴とする請求項８又は９に記載のデータ記録システム。
【請求項１１】
顧客が持ち込んだ機器又は第１の情報記録媒体に記録されたデータを、前記顧客が購入した第２の情報記録媒体に記録するデータ記録方法であって、
前記顧客が購入した前記第２の情報記録媒体に書き込みが許可されたことを示す書込許可情報を記録するステップと、
データ記録端末において、前記第２の情報記録媒体から前記書込許可情報を抽出するステップと、前記書込許可情報が記録されている場合に、前記機器又は前記第１の情報記録媒体に記録されたデータを読み取り、前記第２の情報記録媒体に書き込むステップとを少なくとも有することを特徴とするデータ記録方法。
【請求項１２】
顧客が持ち込んだ機器又は第１の情報記録媒体に記録されたデータを、前記顧客が購入した第２の情報記録媒体に記録するデータ記録方法であって、
データの書き込みが禁止されたことを示す書込禁止情報が記録された情報記録媒体を陳列するステップと、
前記顧客が購入した前記第２の情報記録媒体に前記書込禁止情報による書込禁止が解除されたことを示す書込禁止解除情報を記録するステップと、
データ記録端末において、前記第２の情報記録媒体から前記書込禁止情報を抽出するステップと、前記第２の情報記録媒体から前記書込禁止解除情報を抽出するステップと、前記第２の情報記録媒体に前記書込禁止情報が記録されている場合にはデータの書き込みを禁止し、前記情報記録媒体に更に前記書込禁止解除情報が記録されている場合にはデータの書き込みを許可する判断を行うステップと、前記禁止／許可の判断に基づいて、前記機器又は前記第１の情報記録媒体に記録されたデータを読み取り、前記第２の情報記録媒体に書き込むステップとを少なくとも有することを特徴とするデータ記録方法。
【請求項１３】
前記機器は、デジタルカメラ又はカメラ付き携帯電話機であり、前記第１の情報記録媒体は、前記機器に着脱可能な情報記録媒体であり、前記データは前記機器により撮影された写真画像データであることを特徴とする請求項１１又は１２に記載のデータ記録方法。
【発明の詳細な説明】
【技術分野】
【０００１】
本発明は、データ記録プログラム及び情報記録媒体並びにデータ記録端末、データ記録システム、データ記録方法に関し、特に、デジタルカメラ等の撮影機器で取得した写真の画像データを情報記録媒体に記録又はバックアップするためのデータ記録プログラム及び情報記録媒体並びにデータ記録端末、データ記録システム、データ記録方法に関する。
【背景技術】
【０００２】
近年、デジタルカメラやカメラ付携帯電話機などの撮影機器の普及に伴い、写真画像をデジタルデータとして利用する顧客が増えている。デジタルカメラやカメラ付携帯電話機では、機器に内蔵された記憶手段や機器に着脱可能な各種メディア等に写真画像を記録しておき、機器の表示手段を用いて写真画像を閲覧することができるが、写真画像のデータサイズは大きく、一方機器に内蔵された記憶手段やメディアの記憶容量はあまり大きくないため、頻繁に写真を撮影する顧客は写真の画像データを別の記憶手段に記憶しておく必要がある。
【０００３】
ここで、パソコン操作に慣れた顧客の場合は、デジタルカメラに装着される各種メディアをパソコンのスロットに挿入して画像データを読み込んだり、デジタルカメラやカメラ付携帯電話機をパソコンに接続して撮影した写真の画像データをパソコンに転送する等の方法により、パソコン内に画像データを蓄積し、パソコンに予めインストールされている画像表示アプリケーションを用いて画像データを表示、閲覧することができる。
【０００４】
しかしながら、パソコン操作に不慣れな顧客にとってはデジタルカメラやカメラ付携帯電話機、各種メディアから画像データを読み取る操作は簡単ではない。そこで、パソコンを用いずに写真の画像データをバックアップする方法が望まれており、例えば、特開２０００−１８５８９６号公報には、デジタルカメラで撮影した写真の画像データをより簡単にバックアップすることができるデータ処理サービス方法及びそのシステムが開示されている。
【０００５】
上記公報によれば、小型、軽量のデジタルカメラに付属する又は内蔵する記録メディアの容量は８〜１６ＭＢｙｔｅ程度であり、一方、高画質モードで撮影した場合に画像１枚が１ＭＢｙｔｅ近いデータ量となるため、この記録メディアではたかだか１０枚程度しか撮影できず、また、記録メディアは高価であるために予備の記録メディアを何枚も購入できないという問題に対し、店舗に設置されるサービス端末を用いて画像データのバックアップを行うサービスにおいて、顧客のデジタルカメラのメモリに記憶されている撮影画像データを読み込むステップと、読み込んだ撮影画像データを顧客がアクセスできる記録媒体に保存するステップとを行う方法が示されている。
【０００６】
【特許文献１】特開２０００−１８５８９６号公報（第３−７頁、第１図）
【発明の開示】
【発明が解決しようとする課題】
【０００７】
上記公報記載の方法により、比較的撮影枚数の少ない小型、軽量のデジタルカメラを利用しても、サービス端末の存在する店舗にデジタルカメラを持っていくことにより、高価なメディアを購入することなくデジタルカメラの画像データを保存でき、撮影データ容量や保存、印刷の手間を考えずに、小型、軽量のデジタルカメラを利用することができるが、この方法では以下に示す問題がある。
【０００８】
すなわち、このようなサービス端末を利用する場合、画像データをバックアップする記録メディア（上記公報ではＭＯディスク）にはデジタルカメラのＩＤが記録されており、このＭＯディスクをデジタルカメラと共に持ち歩く必要があり、また、ＭＯディスクを忘れてしまった場合などではサービス端末を利用することができなくなってしまう。
【０００９】
また、サービス端末を設置する店舗（ＤＰＥ店やコンビニエンスストア、キヨスク等）でバックアップ用の記録メディアを販売する方法もあるが、サービス端末には、挿入された記録メディアが店舗で正規に購入されたものであるのか、顧客が独自に持ち込んだものであるのか、あるいはレジで代金を支払わずにサービス端末に挿入したものであるのかを判断することができないため、不正なバックアップが行われる場合があり、この不正なバックアップを防止するために店舗側で監視するとなると店舗側の負荷が大きくなってしまう。
【００１０】
本発明は、上記問題点に鑑みてなされたものであって、その主たる目的は、データ記録端末に挿入される情報記録媒体が正規な情報記録媒体であるか否かを簡単にチェックすることができるデータ記録プログラム及び情報記録媒体並びにデータ記録端末、データ記録システム、データ記録方法を提供することにある。
【課題を解決するための手段】
【００１１】
上記目的を達成するため、本発明のデータ記録プログラムは、コンピュータを、情報記録媒体から、データの書き込みが許可されたことを示す書込許可情報を抽出する手段、前記書込許可情報が記録された前記情報記録媒体に対してデータの書き込みを許可するデータ書込手段、として機能させるものである。
【００１２】
また、本発明のデータ記録プログラムは、コンピュータを、情報記録媒体から、データの書き込みが禁止されたことを示す書込禁止情報を抽出する手段、前記情報記録媒体から、データの書き込み禁止が解除されたことを示す書込禁止解除情報を抽出する手段、前記書き込み禁止情報が記録された前記情報記録媒体に対してデータの書き込みを禁止し、更に前記書込禁止解除情報が記録された前記情報記録媒体に対してデータの書き込みを許可するデータ書込手段、として機能させるものである。
【００１３】
また、本発明の情報記録媒体は、データの書き込みが禁止されたことを示す書込禁止情報、又は、データの書き込みが許可されたことを示す書込許可情報が記録されたものである。
【００１４】
また、本発明の情報記録媒体は、データの書き込みが禁止されたことを示す書込禁止情報、及び、データの書き込み禁止が解除されたことを示す書込禁止解除情報が記録されたものである。
【００１５】
また、本発明のデータ記録端末は、機器又は第１の情報記録媒体に記録されたデータを第２の情報記録媒体に記録するデータ記録端末において、前記機器又は前記第１の情報記録媒体からデータを読み取る手段と、前記第２の情報記録媒体からデータの書き込みが許可されたことを示す書込許可情報を抽出する手段と、前記書込許可情報が記録された前記第２の情報記録媒体に対してデータの書き込みを許可するデータ書込手段と、を少なくとも有するものである。
【００１６】
また、本発明のデータ記録端末は、機器又は第１の情報記録媒体に記録されたデータを第２の情報記録媒体に記録するデータ記録端末において、前記機器又は前記第１の情報記録媒体からデータを読み取る手段と、前記第２の情報記録媒体からデータの書き込みが禁止されたことを示す書込禁止情報を抽出する手段と、前記第２の情報記録媒体からデータの書き込み禁止が解除されたことを示す書込禁止解除情報を抽出する手段と、前記書き込み禁止情報が記録された前記第２の情報記録媒体に対してはデータの書き込みを禁止し、更に前記書込禁止解除情報が記録された前記第２の情報記録媒体に対してはデータの書き込みを許可するデータ書込手段と、を少なくとも有するものである。
【００１７】
本発明においては、前記機器は、デジタルカメラ又はカメラ付き携帯電話機であり、前記第１の情報記録媒体は、前記機器に着脱可能な情報記録媒体であり、前記データは前記機器により撮影された写真画像データであることが好ましい。
【００１８】
また、本発明のデータ記録システムは、データの書き込みが許可されたことを示す書込許可情報を情報記録媒体に記録する書込許可情報記録手段と、前記書込許可情報が記録された前記情報記録媒体に対してデータの書き込みを許可するデータ書込手段と、を少なくとも有するものである。
【００１９】
また、本発明のデータ記録システムは、データの書き込みが禁止されたことを示す書込禁止情報が記録された情報記録媒体と、前記書込禁止情報による書込禁止が解除されたことを示す書込禁止解除情報を前記情報記録媒体に記録する書込禁止解除情報記録手段と、前記書込禁止情報が記録された前記情報記録媒体に対してはデータの書き込みを禁止し、更に前記書込禁止解除情報が記録された前記情報記録媒体に対してはデータの書き込みを許可するデータ書込手段と、を少なくとも有するものである。
【００２０】
また、本発明のデータ記録方法は、顧客が持ち込んだ機器又は第１の情報記録媒体に記録されたデータを、前記顧客が購入した第２の情報記録媒体に記録するデータ記録方法であって、前記顧客が購入した前記第２の情報記録媒体に書き込みが許可されたことを示す書込許可情報を記録するステップと、データ記録端末において、前記第２の情報記録媒体から前記書込許可情報を抽出するステップと、前記書込許可情報が記録されている場合に、前記機器又は前記第１の情報記録媒体に記録されたデータを読み取り、前記第２の情報記録媒体に書き込むステップとを少なくとも有するものである。
【００２１】
また、本発明のデータ記録方法は、顧客が持ち込んだ機器又は第１の情報記録媒体に記録されたデータを、前記顧客が購入した第２の情報記録媒体に記録するデータ記録方法であって、データの書き込みが禁止されたことを示す書込禁止情報が記録された情報記録媒体を陳列するステップと、前記顧客が購入した前記第２の情報記録媒体に前記書込禁止情報による書込禁止が解除されたことを示す書込禁止解除情報を記録するステップと、データ記録端末において、前記第２の情報記録媒体から前記書込禁止情報を抽出するステップと、前記第２の情報記録媒体から前記書込禁止解除情報を抽出するステップと、前記第２の情報記録媒体に前記書込禁止情報が記録されている場合にはデータの書き込みを禁止し、前記情報記録媒体に更に前記書込禁止解除情報が記録されている場合にはデータの書き込みを許可する判断を行うステップと、前記禁止／許可の判断に基づいて、前記機器又は前記第１の情報記録媒体に記録されたデータを読み取り、前記第２の情報記録媒体に書き込むステップとを少なくとも有するものである。
【００２２】
このように、本発明の構成によれば、データを記録するための情報記録媒体を正規に購入した場合に、情報記録媒体に書き込みが許可されたことを示す書込許可情報を記録することにより、データ記録端末では、上記書込許可情報を参照することにより、顧客が自ら持ち込んだ又は棚から不正に持ち出した情報記録媒体のように書込許可情報が記録されていない情報記録媒体を簡単に識別することができ、不正なデータの記録を簡単かつ確実に防止することができる。
【００２３】
また、情報記録媒体に予めデータの書き込みが禁止されたことを示す書込禁止情報を記録しておき、正規に購入された情報記録媒体に対して書き込み禁止が解除されたことを示す書込禁止解除情報を記録することによっても、データ記録端末では、上記書込禁止情報と書込禁止解除情報とを参照することにより、顧客が自ら持ち込んだ情報記録媒体のように書込禁止情報及び書込禁止解除情報のいずれも記録されていない情報記録媒体や、不正に持ち出した情報記録媒体のように書込禁止情報が記録され書込禁止解除情報が記録されていない情報記録媒体を簡単に識別することができ、不正なデータの記録を簡単かつ確実に防止することができる。
【発明の効果】
【００２４】
以上説明したように、本発明のデータ記録プログラム及び情報記録媒体並びにデータ記録端末、データ記録システム、データ記録方法によれば、不正な情報記録媒体を用いたデータの記録を防止することができる。
【００２５】
その理由は、店舗内の陳列棚に情報記録媒体を陳列し、レジにて購入された情報記録媒体に書込許可情報を記録し、データ記録端末において、書込許可情報が記録された情報記録媒体に対してのみ画像データの書き込みを許可することにより、顧客自らが持ち込んだ情報記録媒体やレジを通さずに陳列棚から持ち出した情報記録媒体を識別することができるからである。
【００２６】
また、店舗内の陳列棚に予め書込禁止情報が記録された情報記録媒体を陳列し、レジにて購入された情報記録媒体に書込禁止解除情報を記録し、データ記録端末において、書込禁止情報と書込禁止解除情報とが記録された情報記録媒体に対してのみ画像データの書き込みを許可することによっても、同様に不正な情報記録媒体を識別することができるからである。
【００２７】
また、情報記録媒体の販売機能を備えたデータ記録端末の場合には、予め情報記録媒体を格納しておき、購入された情報記録媒体に書込許可情報を記録して提供することにより、同様に顧客自らが持ち込んだ情報記録媒体を識別することができるからである。
【００２８】
そして、このようなデータ記録システムを用いることにより、パソコン操作に不慣れな顧客であってもデジタルカメラやカメラ付き携帯電話機で撮影した画像データを簡単に別の情報記録媒体に記録し、バックアップ等を作成することができ、デジタルカメラやカメラ付き携帯電話機を常に画像データの記録が可能な状態に維持することができる。これにより、写真撮影を促進して画像データに付随するフォトサービスの利用拡大を図ることができる。
【発明を実施するための最良の形態】
【００２９】
本発明に係るデータ記録システムは、その好ましい一実施の形態において、データの書き込みが禁止されたことを示す書込禁止情報が記録された情報記録媒体が陳列棚に陳列され、レジには書込禁止情報による書き込み禁止が解除されたことを示す書込禁止解除情報を情報記録媒体に記録する手段を備え、データ記録端末には、書込禁止情報が記録された情報記録媒体に対してはデータの書き込みを禁止し、更に書込禁止解除情報が記録された情報記録媒体に対してはデータの書き込みを許可するデータ書き込み手段を少なくとも備えるものであり、データ記録端末に挿入される情報記録媒体がレジで正規に購入されたものか否かが自動的にチェックされるため、不正なデータの記録を防止することができる。また、パソコンを用いずに画像データの記録を可能とすることにより、デジタルカメラ等の撮影機器による写真撮影を促進し、画像データを用いた各種サービスの利用拡大を図ることができる。
【００３０】
上記した本発明の実施の形態についてさらに詳細に説明すべく、本発明の実施例について図面を参照して説明する。
【実施例１】
【００３１】
まず、本発明の第１の実施例に係るデータ記録プログラム及び情報記録媒体並びにデータ記録端末、データ記録システム、データ記録方法について、図１乃至図３及び図１０乃至図１３を参照して説明する。図１は、本実施例に係るデータ記録システムの構成を模式的に示す図であり、図２は、データ記録端末の機能を示すブロック図である。また、図３は、データの記録手順を示すフローチャート図であり、図１０乃至図１３は、本実施例に係るデータ記録システムの他の構成を模式的に示す図である。なお、本実施例は書込許可情報のみを用いて不正なデータの記録を防止することを特徴とするものである。
【００３２】
図１に示すように、本実施例のデータ記録システム１は、スマートメディア、コンパクトフラッシュ（登録商標）、メモリースティック（登録商標）、ＳＤメモリーカード、マルチメディアカードなどの写真の画像データが記録されたメディア６（ここではデジタルカメラ等で使用される情報記録媒体をメディアと呼ぶ。）や、写真を撮影したデジタルカメラ７やカメラ付き携帯電話機８等の撮影機器（以下、カメラ機能を備えたデジタル機器を撮影機器と呼ぶ。）に記録された画像データをＣＤ−Ｒ／ＲＷやＤＶＤ±Ｒ／ＲＷ、ＤＶＤ−ＲＡＭ、Ｂｌｕ−ｒａｙディスク、ＭＯ等の他の情報記録媒体９に記録するデータ記録端末３と、情報記録媒体９を陳列する陳列棚４と、情報記録媒体９に書き込みが許可されたことを示す書込許可情報を記録して顧客に販売するレジ５とが、コンビニエンスストアやミニラボ等のフォトサービス店舗内に設けられているものである。また、データ記録端末３には、顧客が持ち込んだ各種メディア６から画像データを読み取るためのメディアスロット３ａと、デジタルカメラ７やカメラ付き携帯電話機８等の撮影機器を接続する接続端子３ｂと、これらのメディア６や撮影機器から読み取った画像データをＣＤ−Ｒ／ＲＷやＤＶＤ±Ｒ／ＲＷ、ＤＶＤ−ＲＡＭ、Ｂｌｕ−ｒａｙディスク、ＭＯ等の情報記録媒体９に書き込むドライブ（例えばＣＤ−Ｒドライブ３ｃ）とを備えている。
【００３３】
このデータ記録端末３を機能で説明すると図２に示すようになり、メディア６や撮影機器から画像データを読み取るデータ読み取り手段１２と、情報記録媒体９から書込許可情報を抽出する書込許可情報抽出手段１３と、書込許可情報を参照して、メディア６や撮影機器から読み取った画像データを情報記録媒体９に書き込むデータ書き込み手段１４とを備えている。また、必要に応じて、データ記録作業に対する指示を行う表示手段１０や操作手段１１と、メディア６や撮影機器から読み取った画像データのフォーマットや名前、サイズ等を顧客の好みに応じて、又は、フォトサービスに適合するように変換するデータ変換手段１５を備える構成としてもよい。なお、上記各手段はハードウェアとして構成されていてもよく、また、コンピュータを、少なくとも、書込許可情報抽出手段１３、データ書き込み手段１４として機能させるデータ記録プログラムがデータ記録端末３にインストールされている構成としてもよい。また、図１では写真店やコンビニエンスストア等の店舗に設置可能なキオスク型のデータ記録端末３を記載しているが、データ記録端末３の形態は任意であり、例えば、図１０に示すように卓上型の店頭端末としたり、図１１に示すように上記ソフトウェア（データ記録プログラム）がインストールされたパソコンとしたり、図１２に示すように専用のセットトップボックスとしたり、図１３に示すようにポータブルライターなどとしてもよいし、記憶手段や演算手段を備えたＤＶＤレコーダなどとしてもよい。
【００３４】
上記構成のデータ記録端末３を用いて、顧客が持ち込んだメディア６や撮影機器から読み取った画像データを情報記録媒体９に記録する手順について、図３のフローチャート図を参照して説明する。なお、以下では情報記録媒体９に記録するデータとして、デジタルカメラ７やカメラ付き携帯電話機８で撮影された写真に基づく画像データを用いる場合について説明するが、画像データは写真に基づくものに限らず、動画データや音声データでもよく、また、インターネットで取得したデータであってもよい。
【００３５】
まず、ステップＳ１０１で、顧客はデータ記録端末３が設置されたコンビニエンスストアやフォトサービス店舗等のデータ記録店舗２に画像データが記録されたメディア６や撮影機器を持ち込む。ここでは、同一のデータ記録店舗２に、データ記録端末３と陳列棚４とレジ５とを備える構成としているが、これらは同一店舗内に設置されている必要はなく、例えば、一の店舗で正規に購入した情報記録媒体９を用いて他の店舗に設置されたデータ記録端末３でデータの記録を行うこともできる。
【００３６】
次に、ステップＳ１０２で、顧客は陳列棚４に陳列されている情報記録媒体９を選択する。なお、この情報記録媒体９としては、メディア６や撮影機器に記録されている画像データを記録することができる容量を備えた媒体であればよく、ＣＤ−Ｒ／ＲＷやＤＶＤ±Ｒ／ＲＷ、ＤＶＤ−ＲＡＭ、Ｂｌｕ−ｒａｙディスク、ＭＯ等の任意の媒体を使用することができるが、情報記録媒体９に記録された画像データをパソコン等のコンピュータ端末で使用することを考慮すると、パソコンで一般的に読み取ることができる媒体であることが好ましい。以下、情報記録媒体９をＣＤ−Ｒとして説明する。
【００３７】
また、陳列棚４に陳列される情報記録媒体９は、何も情報が書き込まれていない通常の情報記録媒体（ブランクＣＤ−Ｒと称する。）と異なり、データの記録に対する料金が付加されて販売されるものであることから、ブランクＣＤ−Ｒと区別できることが好ましく、例えば、ＣＤ−ＲのジャケットやＣＤ−Ｒ表面に所定のデザインプリントを施して付加価値を高める構成とすることもできる。
【００３８】
次に、ステップＳ１０３で、顧客がレジ５にて所定の代金と引き換えに情報記録媒体９を購入すると、ステップＳ１０４で、データ記録店舗２の店員は、顧客が購入した情報記録媒体９をコンピュータ端末５ａに挿入し、コンピュータ端末５ａを操作して該情報記録媒体９に書き込みが許可されたことを示す書込許可情報を書き込む。この書込許可情報の内容は特に限定されず、書込許可を示すデータ（コピー認証キー）やファイルが情報記録媒体９の所定の領域に書き込まれていたり、逆に所定のデータやファイルが情報記録媒体９の所定の領域に書き込まれていないことにより書込許可が識別できる構成であればよい。更に情報記録媒体上に無線記録／読み出しが可能な第２の情報記録媒体を貼り付け、第２の情報記録媒体上に書込許可情報を記録してもよい。また、書込許可情報は顧客によって容易にコピーできないような処理が施されていることが好ましい。例えば、書込許可情報をパソコンのＯＳではアクセスできない領域（すなわち、論理アドレス領域外）、具体的にはディスク型記録媒体の論理アドレス領域の内側の領域に書き込めば不正なコピーを有効に防止することができる。
【００３９】
次に、ステップＳ１０５で、情報記録媒体９を正規に購入した顧客は、データ記録端末３のメディアスロット３ａに該メディア６を挿入する（又は接続端子３ｂにデジタルカメラ７やカメラ付き携帯電話機８を接続、又はその両方）と共に、該情報記録媒体９をデータ記録端末３のＣＤ−Ｒドライブ３ｃに挿入する。なお、図１ではメディアスロット３ａを各種メディア６を読み取り可能なオールインワンタイプのメディアスロットとしているが、各種メディア６に対応したメディアスロットを複数設ける構成としてもよい。また、本実施例では情報記録媒体９としてＣＤ−Ｒを用いているためＣＤ−Ｒドライブ３ｃを設けているが、ＣＤ−Ｒに変えてＤＶＤ−ＲやＭＯを用いる場合には、ＤＶＤドライブ又はＭＯドライブ等、情報記録媒体９に応じたドライブを設ければよい。
【００４０】
次に、ステップＳ１０６で、データ記録端末３は書込許可情報抽出手段１３を用いて情報記録媒体９中から書込許可情報を検索（書込許可情報に対応するデータやファイルを検索）する。そして情報記録媒体９中に書込許可情報が記録されていない場合（ステップＳ１０７）は、不正な情報記録媒体が挿入されたと判断してステップＳ１１０で該情報記録媒体を排出して処理を終了する。
【００４１】
また、情報記録媒体９に書込許可情報が記録されている場合（ステップＳ１０７）は、ステップＳ１０８で、データ読み取り手段１２を用いてメディア６に記録された画像データや撮影機器に記録された画像データを読み取る。なお、メディア６や撮影機器に記録されている画像データの全てを情報記録媒体９に書き込む構成としてもその一部を書き込む構成としてもよく、選択した画像データのみを書き込む場合には、表示手段１０や操作手段１１を用いて画像データの選択を行う。
【００４２】
ここで、不正なデータの記録を防止する方法として、本実施例では書込許可情報をレジ５で記録する構成とし、顧客自身が持ち込んだ情報記録媒体の使用を阻止しているが、予め書込許可情報が書き込まれた情報記録媒体９を販売するようにしてもよいし、レジ５で情報記録媒体９を購入する際にＩＣタグなどを取り付けるようにしてもよい。
【００４３】
次に、ステップＳ１０９で、データ書き込み手段１４を用いて、読み取った画像データを情報記録媒体９にコピーする。ここで、読み取った画像データをそのまま情報記録媒体９に記録する構成としてもよいが、デジタルカメラ７で取得した画像データはデジタルカメラ固有のフォーマットで保存されている場合が多く、そのままではパソコンで読み取りができない場合もあり、また、近年のデジタルカメラ７の高性能化に伴い、各々の画像データのサイズが大きくなっており、そのままではデータサイズが大きすぎて利用しにくい場合もある。
【００４４】
そこで、例えば、データ記録端末３にデータ変換手段１５を設けておき、各種デジタルカメラ固有のフォーマットを一般的なフォーマット（例えば、ｊｐｅｇ等）に変換したり、画像データの画素数をパソコンやフォトサービスで利用しやすいサイズに変換し、変換した画像データ（又は元画像データと変換した画像データの双方）を情報記録媒体９に記録する構成としてもよい。また、複数のメディア６やメディア６及び撮影機器から画像データを読み取る場合などでは画像データに予め付与されているファイル名が重複する場合も考えられるため、データ変換手段１５で画像データのファイル名を自動的にリネームする構成とすることもできる。
【００４５】
その後、ステップＳ１１０で画像データを書き込んだ情報記録媒体９を排出してデータ記録処理を終了する。
【００４６】
このように、本実施例のデータ記録プログラム及び情報記録媒体並びにデータ記録端末３、データ記録システム１、データ記録方法によれば、顧客が持ち込んだメディア６や撮影機器に記録された画像データを他の情報記録媒体９にバックアップする場合において、顧客が陳列棚４に陳列された情報記録媒体９を購入する際にレジ５で情報記録媒体９に書込許可情報を書き込み、データ記録端末３では情報記録媒体９に書込許可情報が記録されている場合にのみデータの記録を許可する構成とすることにより、顧客自身が持ち込んだ情報記録媒体やレジ５を通さずに持ち出した情報記録媒体が不正に使用されるという不具合を防止することができる。
【実施例２】
【００４７】
次に、本発明の第２の実施例に係るデータ記録プログラム及び情報記録媒体並びにデータ記録端末、データ記録システム、データ記録方法について、図４乃至図６を参照して説明する。図４は、本実施例に係るデータ記録システムの構成を模式的に示す図であり、図５は、データ記録端末の機能を示すブロック図である。また、図６は、データの記録手順を示すフローチャート図である。なお、本実施例は、書込禁止情報と書込禁止解除情報の組み合わせにより不正なデータの記録を防止することを特徴とするものである。
【００４８】
図４に示すように、本実施例のデータ記録システム１は、各種メディア６や、デジタルカメラ７やカメラ付き携帯電話機８等の撮影機器に記録された画像データをＣＤ−Ｒ／ＲＷやＤＶＤ±Ｒ／ＲＷ、ＤＶＤ−ＲＡＭ、Ｂｌｕ−ｒａｙディスク、ＭＯ等（以下、第１の実施例と同様にＣＤ−Ｒとして説明する。）の他の情報記録媒体９に記録するデータ記録端末３と、予め書込禁止情報が記録された情報記録媒体９を陳列する陳列棚４と、情報記録媒体９に書き込み禁止が解除されたことを示す書込禁止解除情報を記録して顧客に販売するレジ５とが、コンビニエンスストアやミニラボ等のフォトサービス店舗内に設けられているものである。
【００４９】
このデータ記録端末３を機能で説明すると図５に示すようになり、メディア６や撮影機器から画像データを読み取るデータ読み取り手段１２と、情報記録媒体９から書込禁止情報を抽出する書込禁止情報抽出手段１６と、情報記録媒体９から書込禁止解除情報を抽出する書込禁止解除情報抽出手段１７と、書込禁止情報及び書込禁止解除情報を参照して、メディア６や撮影機器から読み取った画像データを情報記録媒体９に書き込むデータ書き込み手段１４とを備えている。また、必要に応じて、データ記録作業に対する指示を行う表示手段１０や操作手段１１や、メディア６や撮影機器から読み取った画像データのフォーマットや名前、サイズ等を変換するデータ変換手段１５を備える構成としてもよい。なお、第１の実施例と同様に、上記各手段はハードウェアとして構成されていてもよく、また、コンピュータを、少なくとも、書込禁止情報抽出手段１６、書込禁止解除情報抽出手段１７、データ書き込み手段１４として機能させるデータ記録プログラムがデータ記録端末３にインストールされている構成としてもよい。また、第１の実施例と同様に、データ記録端末３の構成は任意であり、キオスク型のデータ記録端末３に代えて、卓上型の店頭端末としたり、上記ソフトウェア（データ記録プログラム）がインストールされたパソコンとしたり、専用のセットトップボックスとしたり、ポータブルライターとしたり、記憶手段や演算手段を備えたＤＶＤレコーダなどとしてもよい。
【００５０】
上記構成のデータ記録システム１を用いて、顧客が持ち込んだメディア６や撮影機器から読み取った画像データを情報記録媒体９に記録する手順について、図６のフローチャート図を参照して説明する。
【００５１】
まず、ステップＳ２０１で、顧客はデータ記録端末３が設置されたコンビニエンスストアやフォトサービス店舗等のデータ記録店舗２に画像データが記録されたメディア６や撮影機器を持ち込み、ステップＳ２０２で、顧客は陳列棚４に陳列されているＣＤ−Ｒ等の情報記録媒体９を選択する。本実施例の場合は、情報記録媒体９には予めデータの書き込みが禁止されたことを示す書込禁止情報が記録されている。なお、この書込禁止情報の内容は特に限定されず、書込禁止を示すデータやファイルが情報記録媒体９の所定の領域に書き込まれていたり、逆に所定のデータやファイルが情報記録媒体９の所定の領域に書き込まれていないことにより書込禁止が識別できる構成であればよく、書込禁止情報は容易にコピーできないような処理が施されていることが好ましい。また、陳列棚４に陳列される情報記録媒体９は、ＣＤ−ＲのジャケットやＣＤ−Ｒ表面に所定のデザインプリントを施して付加価値を高める構成とすることもできる。
【００５２】
次に、ステップＳ２０３で、顧客がレジ５にて所定の代金と引き換えに情報記録媒体９を購入すると、ステップＳ２０４で、データ記録店舗２の店員は、顧客が購入した情報記録媒体９をコンピュータ端末５ａに挿入し、コンピュータ端末５ａを操作して該情報記録媒体９に書き込み禁止が解除されたことを示す書込禁止解除情報を書き込む。この書込禁止解除情報は、書込禁止情報と同様に、その内容は特に限定されず、書込禁止解除を示すデータやファイルが情報記録媒体９の所定の領域に書き込まれていたり、逆に所定のデータやファイルが情報記録媒体９の所定の領域に書き込まれていないことにより書込禁止の解除が識別できる構成であればよい。また、書込禁止解除情報は容易にコピーできないような処理が施されていることが好ましく、例えば、書込許可情報をパソコンのＯＳではアクセスできない論理アドレス領域外、具体的にはディスク型記録媒体の論理アドレス領域の内側の領域に書き込む構成としてもよい。
【００５３】
次に、ステップＳ２０５で、情報記録媒体９を正規に購入した顧客は、データ記録端末３のメディアスロット３ａに該メディア６を挿入する（又は接続端子３ｂにデジタルカメラ７やカメラ付き携帯電話機８を接続、又はその両方）と共に、該情報記録媒体９をデータ記録端末３のＣＤ−Ｒドライブ３ｃに挿入する。
【００５４】
次に、ステップＳ２０６で、データ記録端末３は書込禁止情報抽出手段１６を用いて情報記録媒体９中から書込禁止情報を検索（書込禁止情報に対応するデータやファイルを検索）する。情報記録媒体９中に書込禁止情報が記録されている場合（ステップＳ２０７）は、ステップＳ２０８で、同様に書込禁止解除情報抽出手段１７を用いて情報記録媒体９中から書込禁止解除情報を検索（書込禁止解除情報に対応するデータやファイルを検索）する。また、ステップＳ２０７で情報記録媒体９中に書込禁止情報が記録されていない場合は不正な情報記録媒体が挿入されたと判断してステップＳ２１２で該情報記録媒体を排出して処理を終了する。
【００５５】
そして、情報記録媒体９に書込禁止解除情報が記録されている場合（ステップＳ２０９）は、ステップＳ２１０で、データ読み取り手段１２を用いてメディア６に記録された画像データや撮影機器に記録された画像データを読み取る。また、ステップＳ２０９で情報記録媒体９中に書込禁止解除情報が記録されていない場合は不正な情報記録媒体が挿入されたと判断してステップＳ２１２で該情報記録媒体を排出して処理を終了する。なお、メディア６や撮影機器に記録されている画像データの全てを情報記録媒体９に書き込む構成としてもその一部を書き込む構成としてもよく、選択した画像データのみを書き込む場合には、表示手段１０や操作手段１１を用いて画像データの選択を行う。
【００５６】
ここで、不正なデータの記録を防止するために、第１の実施例では何も記録されていない情報記録媒体９に対してレジ５で書込許可情報を書き込む構成としたが、この構成では陳列する情報記録媒体９とブランクＣＤ−Ｒとを差別化することができない。これに対して本実施例では、予め情報記録媒体９には書込禁止情報が記録されており、レジ５で書込禁止解除情報を記録する構成としているため、陳列する情報記録媒体９をブランクＣＤ−Ｒと差別化して付加価値を高めることができる。
【００５７】
次に、ステップＳ２１１で、データ書込手段１４を用いて、読み取った画像データを情報記録媒体９にコピーする。その際、第１の実施例と同様に、データ記録端末３にデータ変換手段１５を設けておき、各種デジタルカメラ固有のフォーマットを規格として定義されているような一般的なフォーマットに変換したり、画像データの画素数をパソコンやフォトサービスで利用しやすいサイズに変換したり、画像データのファイル名を自動的にリネームし、変換した画像データ（又は元画像データと変換した画像データの双方）を情報記録媒体９に記録する構成としてもよい。
【００５８】
その後、ステップＳ２１２で画像データを書き込んだ情報記録媒体９を排出してデータ記録処理を終了する。
【００５９】
このように、本実施例のデータ記録プログラム及び情報記録媒体並びにデータ記録端末３、データ記録システム１、データ記録方法によれば、顧客が持ち込んだメディア６や撮影機器に記録された画像データを他の情報記録媒体９に記録する場合において、予め書込禁止情報を記録した情報記録媒体９をデータ記録店舗２内の陳列棚４に陳列しておき、顧客が情報記録媒体９を購入する際にレジ５で情報記録媒体９に書込禁止解除情報を書き込み、データ記録端末３では情報記録媒体９に書込禁止情報と書込禁止解除情報の双方が記録されている場合にのみデータの記録を許可する構成とすることにより、顧客自身が持ち込んだ情報記録媒体や陳列棚４に陳列された情報記録媒体であってレジ５で購入されていない情報記録媒体が不正に使用されるという不具合を防止することができる。
【実施例３】
【００６０】
次に、本発明の第３の実施例に係るデータ記録プログラム及び情報記録媒体並びにデータ記録端末、データ記録システム、データ記録方法について、図７乃至図９を参照して説明する。図７は、本実施例に係るデータ記録端末の構成を模式的に示す図であり、図８は、データ記録端末の機能を示すブロック図である。また、図９は、データの記録手順を示すフローチャート図である。なお、本実施例はデータ記録端末３で情報記録媒体９を販売することを特徴とするものであり、他の部分の構成に関しては第１の実施例と同様である。
【００６１】
図７に示すように、本実施例のデータ記録端末３は、データを書き込む情報記録媒体９を販売する機能と、書込許可情報に基づいて、写真の画像データが記録された各種メディア６や、写真を撮影したデジタルカメラ７やカメラ付き携帯電話機８等の撮影機器に記録された画像データをＣＤ−Ｒ／ＲＷやＤＶＤ±Ｒ／ＲＷ、ＤＶＤ−ＲＡＭ、Ｂｌｕ−ｒａｙディスク、ＭＯ等（以下、ＣＤ−Ｒとして説明する。）の情報記録媒体９に記録する機能とを備えたものである。
【００６２】
このデータ記録端末３を機能で説明すると図８に示すようになり、情報記録媒体９を提供する情報記録媒体提供手段１８と、情報記録媒体９の購入に際しての操作を行うための表示手段１０及び操作手段１１と、メディア６や撮影機器から画像データを読み取るデータ読み取り手段１２と、情報記録媒体９から書込許可情報を抽出する書込許可情報抽出手段１３と、メディア６や撮影機器から読み取った画像データを情報記録媒体９に書き込むデータ書き込み手段１４とを備えている。また、情報記録媒体提供手段１８には、情報記録媒体９に対する料金を徴収するための課金手段１８ａと、情報記録媒体９を格納する情報記録媒体格納手段１８ｂとを備え、必要に応じて、メディア６や撮影機器から読み取った画像データのフォーマットや名前、サイズ等を変換するデータ変換手段１５を備える構成としてもよい。上記各手段は、第１及び第２の実施例と同様に、ハードウェアとして構成されていてもよく、また、コンピュータを、少なくとも、書込許可情報抽出手段１３、データ書き込み手段１４として機能させるデータ記録プログラムがデータ記録端末３にインストールされている構成としてもよい。
【００６３】
なお、本実施例ではデータ記録端末３に情報記録媒体提供手段１８を備えているため、データ記録店舗２内に情報記録媒体９を陳列する陳列棚４や情報記録媒体９の販売を行うレジ５が不要である。従って、本実施例の場合はデータ記録端末３を無人端末とすることができるため、データ記録端末３を設置する場所もコンビニエンスストアやフォトサービス店舗に限らず、任意の場所に設置することができる。また、第１及び第２の実施例と同様に、データ記録端末３の構成は任意であり、キオスク型のデータ記録端末３に代えて、卓上型の店頭端末としたり、上記ソフトウェア（データ記録プログラム）がインストールされたパソコンとしたり、専用のセットトップボックスとしたり、ポータブルライターとしたり、記憶手段や演算手段を備えたＤＶＤレコーダなどとしてもよい。
【００６４】
上記構成のデータ記録端末３を用いて、顧客が持ち込んだメディア６や撮影機器から読み取った画像データを情報記録媒体９に記録する手順について、図９のフローチャート図を参照して説明する。
【００６５】
まず、ステップＳ３０１で、顧客はデータ記録端末３の表示手段１０や操作手段１１を用いて、データ記録端末３内に格納されているＣＤ−Ｒ等の情報記録媒体９を購入する。購入された情報記録媒体９にはステップＳ３０２で書込許可情報が記録されて一旦排出口３ｄから排出される。本実施例の場合、情報記録媒体９はデータ記録端末３内に保管されており、陳列棚４のように不正に持ち出すことができないことから、予め書込許可情報を記録した情報記録媒体９を格納する構成としてもよい。また、情報記録媒体９を一旦排出することなく、購入後そのまま画像データの書き込みを行う構成とすることもできるが、情報記録媒体９の購入後、その場で画像データの書き込みを行わない場合も考えられることから、購入した情報記録媒体を一旦排出する構成とすることが好ましい。なお、第１及び第２の実施例と同様に、書込許可情報をパソコンのＯＳではアクセスできない論理アドレス領域外、具体的にはディスク型記録媒体の論理アドレス領域の内側の領域に書き込む構成としてもよい。
【００６６】
以下、第１の実施例と同様に、ステップＳ３０３で、情報記録媒体９を正規に購入した顧客は、データ記録端末３のメディアスロット３ａに該メディア６を挿入する（又は接続端子３ｂにデジタルカメラ７やカメラ付き携帯電話機８を接続、又はその両方）と共に、該情報記録媒体９をデータ記録端末３のＣＤ−Ｒドライブ３ｃに挿入する。
【００６７】
次に、ステップＳ３０４で、データ記録端末３は書込許可情報抽出手段１３を用いて情報記録媒体９中から書込許可情報を検索（書込許可情報に対応するデータやファイルを検索）する。情報記録媒体９中に書込許可情報が記録されていない場合（ステップＳ３０５）は、不正な情報記録媒体が挿入されたと判断してステップＳ３０８で該情報記録媒体を排出して処理を終了する。
【００６８】
そして、情報記録媒体９に書込許可情報が記録されている場合（ステップＳ３０５）は、ステップＳ３０６で、データ読み取り手段１２を用いてメディア６に記録された画像データや撮影機器に記録された画像データを読み取る。なお、第１及び第２の実施例と同様にメディア６や撮影機器に記憶されている画像データの全てを情報記録媒体に書き込む構成としてもその一部を書き込む構成としてもよく、選択した画像データのみを書き込む場合には、表示手段１０や操作手段１１を用いて画像データの選択を行う。
【００６９】
次に、ステップＳ３０７で、データ書込手段１４を用いて、読み取った画像データを情報記録媒体９にコピーする。ここでも第１及び第２の実施例と同様に、例えば、データ記録端末３にデータ変換手段１５を設けておき、各種デジタルカメラ固有のフォーマットを一般的なフォーマットに変換したり、画像データの画素数をパソコンやフォトサービスで利用しやすいサイズに変換したり、画像データのファイル名をリネームする等の処理を施した後、変換した画像データ（又は元画像データと変換した画像データ）を情報記録媒体９に記録する構成としてもよい。
【００７０】
その後、ステップＳ３０８で画像データを書き込んだ情報記録媒体９を排出してデータ記録処理を終了する。
【００７１】
このように、本実施例のデータ記録プログラム及び情報記録媒体並びにデータ記録端末３、データ記録システム１、データ記録方法によれば、顧客が持ち込んだメディア６や撮影機器に記録された画像データを他の情報記録媒体９に記録する場合において、予め情報記録媒体９をデータ記録端末３に格納しておき、顧客が購入した情報記録媒体９に書込許可情報を書き込んで提供し、情報記録媒体９に書込許可情報が記録されている場合にのみデータの記録を許可する構成とすることにより、第１の実施例と同様に、顧客自身が持ち込んだ情報記録媒体が不正に使用されるという不具合を防止することができる。また、本実施例の場合はデータ記録端末３自体に情報記録媒体９の販売機能を備えているため、該端末３を無人で稼働することができ、データ記録端末３を任意の場所に設置できるという効果が得られる。
【００７２】
なお、上記各実施例では、写真の画像データを他の情報記録媒体に記録する場合について説明したが、本発明は上記実施例に限定されるものではなく、例えば、通信機器でダウンロードした音楽データをミニディスクに記録する等、任意の機器や情報記録媒体に記憶されたデータを他の情報記録媒体に記録するプログラム及び情報記録媒体並びに端末、システム、方法に適用することができる。
【図面の簡単な説明】
【００７３】
【図１】本発明の第１の実施例に係るデータ記録システムの構成を模式的に示す図である。
【図２】本発明の第１の実施例に係るデータ記録端末の機能を示すブロック図である。
【図３】本発明の第１の実施例に係るデータの記録手順を示すフローチャート図である。
【図４】本発明の第２の実施例に係るデータ記録システムの構成を模式的に示す図である。
【図５】本発明の第２の実施例に係るデータ記録端末の機能を示すブロック図である。
【図６】本発明の第２の実施例に係るデータの記録手順を示すフローチャート図である。
【図７】本発明の第３の実施例に係るデータ記録端末の構成を模式的に示す図である。
【図８】本発明の第３の実施例に係るデータ記録端末の機能を示すブロック図である。
【図９】本発明の第３の実施例に係るデータの記録手順を示すフローチャート図である。
【図１０】本発明のデータ記録システムの他の構成を模式的に示す図である。
【図１１】本発明のデータ記録システムの他の構成を模式的に示す図である。
【図１２】本発明のデータ記録システムの他の構成を模式的に示す図である。
【図１３】本発明のデータ記録システムの他の構成を模式的に示す図である。
【符号の説明】
【００７４】
１  データ記録システム
２  データ記録店舗
３  データ記録端末
３ａ  メディアスロット
３ｂ  接続端子
３ｃ  ＣＤ−Ｒドライブ
３ｄ  ＣＤ−Ｒ排出口
４  陳列棚
５  レジ
５ａ  コンピュータ端末
６  メディア
７  デジタルカメラ
８  カメラ付き携帯電話機
９  情報記録媒体
１０  表示手段
１１  操作手段
１２  データ読み取り手段
１３  書込許可情報抽出手段
１４  データ書き込み手段
１５  データ変換手段
１６  書込禁止情報抽出手段
１７  書込禁止解除情報抽出手段
１８  情報記録媒体提供手段
１８ａ  課金手段
１８ｂ  情報記録媒体格納手段
【図１】
2004220756.tif 000003
【図２】
2004220756.tif 000004
【図３】
2004220756.tif 000005
【図４】
2004220756.tif 000006
【図５】
2004220756.tif 000007
【図６】
2004220756.tif 000008
【図７】
2004220756.tif 000009
【図８】
2004220756.tif 000010
【図９】
2004220756.tif 000011
【図１０】
2004220756.tif 000012
【図１１】
2004220756.tif 000013
【図１２】
2004220756.tif 000014
【図１３】
2004220756.tif 000015